(57)【要約】【目的】消防ホースを容易かつ良好に巻き取ることのできる軽便な巻取装置を提供する。【構成】軸受部２を備える台板１上に装置本体５を組み付けて成る巻取装置である。装置本体５は、軸受部２に連結して台板１上に直立状に立てられる回転自在な巻軸６、該巻軸の上端部に設けられる回転操作用のハンドル７、巻軸２の外周に巻き付ける消防ホースなどの巻取対象を通す一対の中継用ガイドローラ１１Ａ，１１Ｂ、台板１上から軸受部２の半径方向に広がる旋回アーム９Ａ，９Ｂ、この旋回アーム９Ａ，９Ｂ上に回転自在に設けられて巻軸２に巻かれた巻取対象を支持する支持ローラ１０Ａ，１０Ｂなどから構成される。又、台板１は装置本体５を格納する平面状に展開可能な収納ボックス１５の一面を成し、その収納ボックス１５には該収納ボックスを箱状に保つ結束ベルト１７Ａ，１７Ｂと手提げ用の把手１６とが設けられる。【選択図】　図１
2004035149.tif 000002
【特許請求の範囲】
【請求項１】
軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルとを有して成ることを特徴とする巻取装置。
【請求項２】
軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルと、前記巻軸の外周に巻き付ける消防ホースなどの巻取対象を通す一対の中継用ガイドローラと、前記台板上から軸受部の半径方向に広がる旋回アームと、この旋回アーム上に回転自在に設けられて前記巻軸に巻かれた巻取対象を支持する支持ローラとを有して成ることを特徴とする巻取装置。
【請求項３】
軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルとを有すると共に、前記台板は装置本体を格納する平面状に展開可能な収納ボックスの一面を成し、その収納ボックスには該収納ボックスを箱状に保つ締結手段と把手とが設けられて成ることを特徴とする巻取装置。
【発明の詳細な説明】
【０００１】
【発明の属する技術分野】
本発明は巻取装置に係わり、特に消防ホースをロール状に巻くのに用いて好適な巻取装置に関する。
【０００２】
【従来の技術】
一般に、消防ホースは嵩張らぬようロール状に巻かれ、使用に際してポンプから火災現場付近まで容易に引き延ばし得るようにしてある。そして、使用後には再度ロール状に巻かれるが、その作業はこれまで消防署員による手巻き作業が主流であった。しかし、人手によってホースを一端から順に巻いてゆく作業では時間が掛かるばかりでなく、熟練者であってもホースを体裁よく奇麗に、しかも解れぬよう小さく強固に巻くことは容易でない。
【０００３】
そこで、その一助として図７のようなホース巻取機が提供されている。図７において、Ｆはフレームであり、このフレームＦの上部には水平方向に突出する巻軸Ｓをもつ巻取枠Ｗと、この巻取枠Ｗを回転させるクランク状のハンドルＨが取り付けられる。又、フレームＦには巻取枠Ｗに隣接して消防ホースを通す一対のガイドローラＧ，Ｇが装備される。そして、この種のホース巻取機によれば、ガイドローラＧ，Ｇの間に消防ホースを通し、その一端を巻軸Ｓとこれに平行するクランプ軸Ｃとの間に挟んでハンドルＨを回転することにより、巻軸Ｓに消防ホースをロール状に巻き取ることができる。
【０００４】
【発明が解決しようとする課題】
然し乍ら、上記従来のホース巻取機は、重量のある堅牢な大型の構造物であるから消防車両などに常設することが難しく、その使用場所が制約されるという難点があった。特に、フレームには使用中の安定性を得るべくウエイトの機能をもたせたあるので、その持ち運びは容易でない。又、係るホース巻取機によれば、ホースの軌道を矯正する中継用のガイドローラを備えるものの、これにはホースの通過を阻害せぬよう左右に一定の遊びを持たせてあるから、使用中にホースが左右に振れ、巻軸に巻かれたホースの両側縁が奇麗に揃わないことがあった。
【０００５】
本発明は以上のような事情に鑑み成されたものであり、その目的は消防ホースを容易かつ良好に巻き取ることのできる軽便な巻取装置を提供することにある。
【０００６】
【課題を解決するための手段】
本発明は上記目的を達成するため、軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルとを有して成ることを特徴とする。
【０００７】
特に、軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルと、前記巻軸の外周に巻き付ける消防ホースなどの巻取対象を通す一対の中継用ガイドローラと、前記台板上から軸受部の半径方向に広がる旋回アームと、この旋回アーム上に回転自在に設けられて前記巻軸に巻かれた巻取対象を支持する支持ローラとを有して成ることを特徴とする。
【０００８】
又、軸受部を備える台板上に装置本体を組み付けて成る巻取装置であって、前記装置本体は前記軸受部に連結して台板上に直立状に立てられる回転自在な巻軸と、該巻軸の上端部に設けられる回転操作用のハンドルとを有すると共に、前記台板は装置本体を格納する平面状に展開可能な収納ボックスの一面を成し、その収納ボックスには該収納ボックスを箱状に保つ締結手段と把手とが設けられて成ることを特徴とする。
【０００９】
【発明の実施の形態】
以下、本発明の適用例を図面に基づいて詳細に説明する。図１は係る巻取装置の好適な態様を示した斜視図である。図１において、１は方形状を成す台板であり、この台板１には円形穴を有する軸受部２が固着される。又、台板１にはヒンジ３を介して他の板材４Ａ，４Ｂ，４Ｃ，４Ｄ，４Ｅが平面状に展開するよう屈曲自在に連ねられ、その台板１と各板材４Ａ〜４Ｅとはヒンジ３の部分を折り曲げることにより、後述のような六面体の収納ボックスを形成する。尚、本例において、軸受部２は転がり軸受で成るが、これは単なる円筒部品でも構わない。
【００１０】
一方、５は台板１上に組み付けられる装置本体であり、この装置本体５は軸受部２に装着される巻軸６、この巻軸を回転させるためのハンドル７、台板に固定される座板８、この座板に各一端がピン結合される２つの旋回アーム９Ａ，９Ｂ、この旋回アーム９Ａ，９Ｂと座板８とに設けられる支持ローラ１０Ａ，１０Ｂ，１０Ｃ、及び旋回アーム９Ａの先端に設けられる一対のガイドローラ１１Ａ，１１Ｂとから構成される。
【００１１】
このうち、巻軸６はその下端を軸受部２に挿入接続して台板１上に回転自在にして直立状に立てられ、非使用時にはハンドル７と一体のまま軸受部２から抜き取り得るようになっている。尚、ハンドル７は巻軸６を中心として該巻軸の上端部に直角に固定され、その両端上面には球状のグリップ１２が取り付けられる。
【００１２】
又、座板８と旋回アーム９Ａ，９Ｂには、支持ローラ１０Ａ〜１０Ｃを回転自在に支持するブラケット１３が形成される。各支持ローラ１０Ａ〜１０Ｃは巻軸６に巻き付ける帯状の巻取対象を支持するためのものであり、それらは軸受部２を中心として三方に放射状に広がるようにしてある。特に、支持ローラ１０Ａ，１０Ｂを備える旋回アーム９Ａ，９Ｂは軸受部２の周囲に揺動自在に設けられ、使用に際して図示の如く軸受部２の半径方向に広げられ、非使用時には各支持ローラ１０Ａ〜１０Ｃが並列状を成すよう台板１上で寄り合うようになっている。
【００１３】
尚、１４Ａ，１４Ｂは旋回アーム９Ａ，９Ｂを結合する屈曲可能なリンクであり、この両リンク１４Ａ，１４Ｂは、旋回アーム９Ａ，９Ｂを広げたときに一直線上に連なって巻取抵抗による旋回アーム９Ａ，９Ｂの揺動を防止する働きをする。又、一つの旋回アーム９Ａには、その先端部に一対のガイドローラ１１Ａ，１１Ｂが一定の間隔をあけて直立状に設けられる。
【００１４】
そして、係る巻取装置によれば、帯状の巻取対象として、例えば消防ホースをガイドローラ１１Ａ，１１Ｂの間に通して該消防ホースの一端を巻軸６の部分に係止し、その状態でハンドル７を回転させることにより、図２に示すよう消防ホースＲをガイドローラ１１Ａ，１１Ｂで中継しながら該消防ホースＲを順次巻軸６の回りに巻き付けることができ、しかも軸受部２から巻軸６を抜き取ることにより巻き取った消防ホースＲをロール状のまま台板１上から取り出すことができる。更に、消防ホースＲを取り出した後には、旋回アーム９Ａ，９Ｂを図３のように台板１上に窄め、この状態にして巻軸６及びハンドル７を含む装置本体５の一式を、台板１を一面とする上記収納ボックス内に収納することができる。
【００１５】
図４は、収納ボックスを組み上げた状態を示した斜視図である。この図で明らかなように、収納ボックス１５は台板１を側面として該台板１と板材４Ａ〜４Ｅとから構成される六面の剛性箱で成り、その内部には軸受部から抜き取った巻軸をはじめ、上記した装置本体５の構成部材全てが収納されている。特に、収納ボックス１５には手提げ用の把手１６を形成する結束ベルト１７Ａ，１７Ｂが設けられる。この結束ベルト１７Ａ，１７Ｂは各一端が収納ボックス１５の前後面を成す板材４Ａ，４Ｅに固定され、一方の結束ベルト１７Ａの先端には他方の結束ベルト１７Ｂと連繋するためのバックル１８が設けられる。そして、この結束ベルト１７Ａ，１７Ｂは相互連結により収納ボックス１５の展開を抑制して此れを箱状に保つための締結手段を成し、その連結を解除したときには収納ボックス１５を図１〜図３のように平面状に展開できるようになっている。
【００１６】
尚、消防ホースを巻き取る場合には、展開した収納ボックスの板材４Ｂ上に使用者が載り、その状態でハンドル７の回転操作を行うのであり、このため装置本体５や台板１にウエイトの機能を持たせる事なく、それらを可及的軽量にして消防ホースの巻き取りを円滑に行うことができる。
【００１７】
次に、図５はハンドル付き巻軸の部分断面図を示す。この図で明らかなように、巻軸６の下端は上記した軸受部２に差し込む円柱状の挿入部６Ａとされる。尚、挿入部６Ａからハンドル７までの区間は挿入部６Ａに向かって直径が漸次小さくなるテーパ部６Ｂとされると共に、そのテーパ部６Ｂの長さは偏平状にした消防ホースの折幅よりも稍長く設定される。一方、ハンドル７には巻軸６に近接して該巻軸に平行するクランプ軸１９が固定され、このクランプ軸１９と巻軸６との間に巻取対象としての消防ホースを挟み込んでその一端部を係止できるようにしてある。
【００１８】
又、図６はガイドローラの取り付け部分を示す。この図で明らかなように、ガイドローラ１１Ａ，１１Ｂはローラ台２０上に並列状に設けられ、一方のガイドローラ１１Ｂの上端には他方のガイドローラ１１Ａの上端に係止する揺動自在な掛金２１が設けられる。又、ローラ台２０は旋回アーム９Ａの先端部に固着した側壁板２２Ａ，２２Ｂの間に介在され、その一端が側壁板２２Ａ，２２Ｂにピン２３にて枢着されている。そして、係るローラ台２０はガイドローラ１１Ａ，１１Ｂが倒伏するようピン２３を中心として揺動できるようになっている。尚、２４はローラ台２０の揺動を規制する施錠具であり、これは旋回アーム９Ａ上に固定した受座２５と、この受座に摺動自在にして設けられるロックピン２６とから成り、ローラ台２０にはロックピン２６を抜き差しするロック穴２７が穿設されている。
【００１９】
ここで、以上のように構成される本願巻取装置の使用例を説明する。先ず、装置本体５を収めた収納ボックス１５を適当な場所に運び、これを平面状に展開する。次いで、ハンドル７付き巻軸６の下端挿入部６Ａを軸受部２に差し込む一方、旋回アーム９Ａ，９Ｂを台板１上からその外方に揺動せしめ、これによって支持ローラ１０Ａ〜１０Ｃを軸受部２の回りに放射状に広げる。そして、図６に示した掛金２１を同図想像線の如く開き、ガイドローラ１１Ａ，１１Ｂの上方からその相互間に帯状と成した消防ホースを通し、その一端を巻軸６とクランプ軸１９との間に差し込んで係止する。
【００２０】
その後、掛金２１を閉じ、板材４Ｂ上に使用者が載ってハンドル７を回転させるのであり、これにより台板１が回転することなく消防ホースがガイドローラ１１Ａ，１１Ｂの相互間を通って支持ローラ１０Ａ〜１０Ｃ上で巻軸２に漸次巻き付けられる。このとき、消防ホースはその下縁が支持ローラ１０Ａ〜１０Ｃで支持されるために上下両側縁が揃った状態で奇麗に巻き取られ、水を含んだ消防ホースでも、これをガイドローラ１１Ａ，１１Ｂにより絞って脱水することができる。しかも、消防ホースを巻き取り終えると、その端部に設けられる図示せぬカップリングがガイドローラ１１Ａ，１１Ｂの部分に引っ掛かるので、この状態でハンドル７に大きな回転トルクを与えることにより消防ホースをロール状のまま強固に締め付けることができる。
【００２１】
尚、消防ホースを強固に締め付ける際も使用者の体重が板材４Ｂ上にかかっているので台板１が回転することがなく、しかも消防ホースを強固に締め付けた後でも、その芯を成す巻軸６は消防ホースの巻き付け部分がテーパ部６Ｂとされることから容易に抜き取ることができ、これを抜き取った状態では締金２１を開放するだけでロール状の消防ホースを支持ローラ１０Ａ〜１０Ｃ上から取り出して消防車両などに積載することができる。
【００２２】
又、巻き取り作業の完了後には、図３に示すよう旋回アーム９Ａ，９Ｂを台板１上に窄める一方、図６に示した施錠具２４によるローラ台２０のロックを解除してガイドローラ１１Ａ，１１Ｂを倒伏せしめる。そして、軸受部２から抜き取った巻軸６を台板１上から食み出さぬようにして旋回アーム９Ａ，９Ｂ上に置き、その状態で装置本体５を包み込むよう台板１と板材４Ａ〜４Ｅを折り畳んで収納ボックス１５を形成し、これを結束ベルト１７Ａ，１７Ｂで締結する。この状態では収納ボックス１５を箱状に保ったまま把手１６を握って持ち運ぶことができる。
【００２３】
以上、本発明の適用例を説明したが、係る巻取装置によれば消防ホースを一端から巻く一重巻、又はこれを二つ折りにして巻き取る二重巻の何れも行うことができる。又、係る巻取装置は消防ホースに限らず他の帯状長尺物の巻き取りに利用できること勿論である。
【００２４】
【発明の効果】
以上の説明で明らかなように、本発明によれば直立する巻軸に消防ホースなどを巻き付けるようにしていることから、その種の巻取対象が巻き取り中に上下に振れてもその自重によって上下両側縁が揃うので、これを体裁よく奇麗なロール状に巻き取ることができる。
【００２５】
又、巻取対象を支持する支持ローラを備えていることから、巻取抵抗が少なく微弱な操作力での巻き取りが可能であり、しかも支持ローラが台板上から巻軸を支える軸受部の半径方向に広がる旋回アームに設けられることから、非使用時には装置本体を小さく畳んで狭いスペースに保管することができる。
【００２６】
更に、巻軸やハンドルといった装置本体の一式が平面状に展開可能な収納ボックスに収められることから持ち運びが容易であり、しかも装置本体が組み付けられる台板が収納ボックスの一面を成すことから、収納ボックスの展開面上に使用者が載って台板を固定できるので、その台板や装置本体を軽量にして巻き取り操作をがたつきなく円滑に行うことができる。
【図面の簡単な説明】
【図１】本発明に係る巻取装置の使用状態を示した斜視図
【図２】同巻取装置の平面図
【図３】旋回アームを窄めた状態を示す平面図
【図４】装置本体を収めた収納ボックスの斜視図
【図５】ハンドルを取り付けた巻軸を示す部分断面図
【図６】ガイドローラの取り付け部分を示した斜視図
【図７】従来装置の正面概略図
【符号の説明】
１　台板
２　軸受部
５　装置本体
６　巻軸
７　ハンドル
９Ａ，９Ｂ　旋回アーム
１０Ａ，１０Ｂ，１０Ｃ　支持ローラ
１１Ａ，１１Ｂ　ガイドローラ
１５　収納ボックス
１６　把手
１７Ａ，１７Ｂ　結束ベルト（締結手段）
【図１】
2004035149.tif 000003
【図２】
2004035149.tif 000004
【図３】
2004035149.tif 000005
【図４】
2004035149.tif 000006
【図５】
2004035149.tif 000007
【図６】
2004035149.tif 000008
【図７】
2004035149.tif 000009